(57)【要約】【課題】  合成樹脂によりボウル部とその周壁部とを形成し、天板部と組み合わせて全体を構成したものにおいても、作業性を損なわせないまま、接合部位を目立たないものとすることができる埋め込み型手洗い器を提供する。【解決手段】  ボウル部１１と、該ボウル部１１の外縁から立設し断面略Ｕ字形状又は断面略コ字形状の周壁部１２と、該周壁部１２の上端に設けられた取着部１３とを合成樹脂により一体成形して手洗い器本体１を設ける。また、この取着部１３に取り付けられる被取着部３１を備えた天板部３を設ける。さらに、周壁部１２の上端の両側前端部に突起部４または係止孔５のいずれか一方を設けると共に天板部３に突起部４または係止孔５のいずれか他方を設ける。そして、係止孔５に突起部４を挿通して位置決めした状態で手洗い器本体１に天板部３を固定した。【選択図】        図１
2010227266.tif 000002
【特許請求の範囲】
【請求項１】
ボウル部と、該ボウル部の外縁から立設し断面略Ｕ字形状又は断面略コ字形状の周壁部と、該周壁部の上端に設けられた取着部とを合成樹脂により一体成形して手洗い器本体を設け、前記取着部に取り付けられる被取着部を備えた天板部を設け、周壁部の上端の両側前端部に突起部または係止孔のいずれか一方を設けると共に天板部に突起部または係止孔のいずれか他方を設け、係止孔に突起部を挿通して位置決めした状態で手洗い器本体に天板部を固定して成ることを特徴とする埋め込み型手洗い器。
【請求項２】
前記係止孔に突起部が挿通された部位に、天板部と手洗い器本体とを挟圧する挟圧部材を装着して成る請求項１に記載の埋め込み型手洗い器。
【発明の詳細な説明】
【技術分野】
【０００１】
本発明は、壁内に手洗い器を埋設した埋め込み型手洗い器に関するものである。
【背景技術】
【０００２】
従来から、例えばトイレルーム等の狭い空間に手洗い器を配設するに当たって、壁内に手洗い器本体の一部を埋め込むことで、手洗い器が空間内に占める割合を減らして、狭い空間を有効に活用できる埋め込み型の手洗い器が知られている（例えば、特許文献１参照）。
【０００３】
この埋め込み型手洗い器は、図７に示すように箱形状のキャビネットＡ内に手洗い器Ｃ’を収容し、トイレルームの壁を凹没させてなる凹部内に、この手洗い器を収容したキャビネットＡを埋設することで設置されている。
【０００４】
この手洗い器は、水溜め可能なボウル部１１ａと、ボウル部１１ａの外縁から立設する周壁部１２ａと、周壁部１２ａの上部に設けられてボウル部１１ａ上方を覆う天板部３ａとを一体成形した陶器製のものであり、このように一体成形とすることで、トイレルーム内に露出する手洗い器Ｃ’の前面部においても繋ぎ目を生じさせずに、良好な外観を現出することができるようになっていた。
【先行技術文献】
【特許文献】
【０００５】
【特許文献１】特開平１１−９４７７号公報
【発明の概要】
【発明が解決しようとする課題】
【０００６】
ところで、一般に陶器は親水性が高いものであるため、このような手洗い器Ｃ’を陶器により製造すれば、水垢が付着しやすいという問題がある。
【０００７】
そこで、この点を解消するために、水垢が付着しにくいように撥水性を高めた合成樹脂を使用することが考えられるが、上記のようにボウル部１１ａと周壁部１２ａと天板部３ａとを金型成形により一体成形することは、金型の構造上困難なものとなる。そのためボウル部と周壁部とで構成する手洗い器本体と、天板部とを分割し、パーツ毎に金型により成形した上で各パーツを組み合わせて手洗い器を構成することが考えられた。
【０００８】
しかしながら、このようにパーツごとに成形して、各パーツを単に組み合わせるだけであれば、キャビネット前面に露出する前面部において、天板部と周壁部との接合部分が露出してしまっているため、この繋ぎ目が目立つことによる見栄えの低下が問題となってしまう。更に言えば、金型により成形した合成樹脂は、同形状のパーツといえどパーツ毎に多少の寸法の違いが生じてしまい（いわゆる製造誤差）、組立時において繋ぎ目に段差がより一層発生しやすいものである。
【０００９】
そのため、手作業によりこの段差を無くして平滑な面となるように保ったまま、組立を行なうようにすれば、組立作業が面倒となり作業性が低下してしまうものであった。
【００１０】
本発明は、上記従来の問題に鑑みてなされたものであり、その目的とするところは、合成樹脂によりボウル部とその周壁部とを形成し、天板部と組み合わせて全体を構成したものにおいても、作業性を損なわせないまま、接合部位を目立たないものとすることができる埋め込み型手洗い器を提供することにある。
【課題を解決するための手段】
【００１１】
上記課題を解決するために本発明は以下の構成を備えている。
【００１２】
請求項１に係る発明にあっては、ボウル部１１と、該ボウル部１１の外縁から立設し断面略Ｕ字形状又は断面略コ字形状の周壁部１２と、該周壁部１２の上端に設けられた取着部１３とを合成樹脂により一体成形して手洗い器本体１を設ける。また、この取着部１３に取り付けられる被取着部３１を備えた天板部３を設ける。さらに、周壁部１２の上端の両側前端部に突起部４または係止孔５のいずれか一方を設けると共に天板部３に突起部４または係止孔５のいずれか他方を設ける。そして、係止孔５に突起部４を挿通して位置決めした状態で手洗い器本体１に天板部３を固定した。
【００１３】
このように構成したことで、製造上の誤差の生じやすい断面略Ｕ字形状又は断面略コ字形状の周壁部１２であっても、係止孔５に突起部４を挿通して位置決めした状態で手洗い器本体１に天板部３を固定することができるので、係止孔５に突起部４を挿通するという簡単な作業で、正確な組み立て作業を行なうことができる。
【００１４】
また、請求項２に係る発明にあっては、請求項１に係る発明において、前記係止孔５に突起部４が挿通された部位に、天板部３と手洗い器本体１とを挟圧する挟圧部材９を装着した。
【００１５】
このように構成したことで、係止孔５に突起部４を挿通して位置決めをしただけの部位においても、隙間の発生を防ぐことができる。
【発明の効果】
【００１６】
本発明によれば、手洗い器本体と天板部とをそれぞれ別体で成形して、各パーツを組み合わせるように構成したものにおいても、周壁部の表面と天板部の表面とを面一状に位置決めした上でこれらを固定することができるので、手洗い器本体と天板部との一体感を現出した組み立てを簡単に行なうことができ、その結果、手洗い器の製造における作業性を向上させることができるものである。
【図面の簡単な説明】
【００１７】
【図１】本発明の一実施形態の要部分解斜視図である。
【図２】同上の要部斜視図である。
【図３】同上の手洗い器本体と天板部との接合部を説明するために接合部の一部のみを抜き出した要部斜視図である。
【図４】同上の固着具の斜視図である。
【図５】同上の挟圧部材を装着した状態の要部斜視図である。
【図６】同上の手洗い器をキャビネット内に収容した状態を説明するための図であり、手洗い器に設置される水栓を省略した全体斜視図である。
【図７】従来の手洗い器をキャビネット内に収容した状態の全体斜視図である。
【発明を実施するための形態】
【００１８】
以下、本発明について添付図面に基づいて説明する。
【００１９】
本発明の埋め込み型手洗い器の一例として、本実施形態の埋め込み型手洗い器Ｃはトイレルームの壁面に取り付けられたものである。
【００２０】
本実施形態のトイレルームは、側壁の一部に側方に凹没する凹部を設け、この凹部内に手洗い器Ｃが収容されたキャビネットＡが埋設されている。
【００２１】
本実施形態の手洗い器Ｃは、図１に示すように、手洗い器Ｃの主体をなす手洗い器本体１と、手洗い器本体１の上方を覆う天板部３とを組み合わせることにより構成されている。
【００２２】
手洗い器本体１は、湯水を貯溜することができる椀状のボウル部１１と、ボウル部１１の外縁から立設した周壁部１２と、周壁部１２の上端に設けられた取着部１３とを備えている。
【００２３】
ボウル部１１は給水栓から水が吐出される部分であり、平面視略矩形状に形成されており前縁部は略直線状に形成されている。また、ボウル部１１の底面は断面半円弧状のなだらかな傾斜を有しており、その最低部には排水管に連通する排水口部が設けられている。
【００２４】
周壁部１２は、ボウル部１１の後縁部から上方に向けて連設された後壁部１４と、ボウル部１１の側縁部から上方に向けて連設された側壁部１５とを備え、後壁部１４と側壁部１５とを相互に滑らかに連続させて構成してあり、全体として断面略Ｕ字形状で形成されている。図１に示すように、後壁部１４の正面視略中央には給水栓を設置するための給水栓設置部１６が設けられている。正面視において手洗い器Ｃの両側にある側壁部１５の前面端部には、手洗い器ＣをキャビネットＡ内に収容した状態で外部に露出し且つ断面略Ｌ字形状の周壁用当接部１７が、周壁部１２の外方に向けて連設されている。図１に示すように、この各周壁用当接部１７には側片１７ａと側壁部１５間を架設するようにして周壁用補強片１８が上下に複数部位に設けられている。
【００２５】
周壁部１２の上端の正面視における両側の前端部（つまり、周壁用当接部１７の上部）には、取着部１３とは別に突起部４が上方に向けて突設してある。この突起部４の上端には、後方ほど下方となるような斜面４１を備えた係止爪４２が上部に向けて突設されている。
【００２６】
取着部１３は、突起部４の突設された部位を除いた周壁部１２の上縁から、フランジ状のフランジ片１９を外方に向けて突設して構成されている。このフランジ片１９と後述する天板部３には、手洗い器本体１と天板部３とを組み合わせた状態で天板部３とフランジ片１９とを貫通する複数の固着具挿通孔７が穿設されている。さらに、手洗い器本体１と天板部３とを組み合わせた状態における周壁用当接部１７の背方には、フランジ片１９及び天板部３に挟圧部材用挿通凹所８が設けられており、後述する挟圧部材９が挿通できる空間が形成される。
【００２７】
また、周壁部１２の上縁のフランジ片１９の突出基部には、パッキン２１を嵌め込むための収容凹所２０が設けられている。フランジ片１９には複数（本実施形態では２つ）の円筒状の位置決め凸部２２が設けられており、この位置決め凸部２２はキャビネットＡの上板裏面に設けた位置決め凹部に挿通されて、キャビネットＡに対する手洗い器Ｃの位置決めを行うことができる。
【００２８】
このように構成された手洗い器本体１は合成樹脂により、ボウル部１１と周壁部１２と取着部１３とが一体的に成形されている。本実施形態における合成樹脂は、アクリル樹脂をベースとした有機ガラスによって成形されている。このようなボウル部１１と周壁部１２と取着部１３とで構成される手洗い器本体１は、金型によって成形するに当たって成形しやすい形状となっている。
【００２９】
このような手洗い器本体１の上端には、上述したように天板部３が載設される。
【００３０】
天板部３は、手洗い器本体１と同様に有機ガラスにより成形されて成るもので、図１に示すように、天面板３５と、天面板３５の前部に設けられた天板用当接部３３とを備えており、これらは一体となって形成されている。
【００３１】
天面板３５は板状のものであり、天面板３５の後縁部には、フランジ片１９から突出する位置決め凸部２２に対して位置決めできるように複数（本実施形態では２つ）の位置決め用切欠３２が設けられる。上述したように天板部３の後部には固着具挿通孔７が穿設されており、この固着具挿通孔７が取着部１３に対して固着される被取着部３１となっている。また天面板３５の裏面には、図３に示すように、天面板３５と手洗い器本体１とを組み合わせたときに、手洗い器本体１の周壁部１２の上端内縁に沿うように、隅用突起６が連続して突設されている。
【００３２】
天板用当接部３３は、側断面略Ｌ字形状で形成されたものであり、対向する側片３３ａと天面板３５間には周壁用当接部１７と同様に、天板用当接部３３を補強する天板用補強片３４が左右に複数並んで設けられている。
【００３３】
また、天板当接部に覆われて前方及び側方から見えない部位には、係止孔５が穿設してある。この係止孔５は、前述した突起部４を挿通することで、手洗い器本体１に対して天板部３を位置決めすることができる。また、図２に示すように、この係止孔５の周囲は天面板よりもやや厚みを増した厚肉部５１が形成されている。
【００３４】
このように構成された天板部３と手洗い器本体１とを組み立てるに当たっては、以下のようにして行なう。
【００３５】
最初に手洗い器本体１の上端にある突起部４に、天板部３の係止孔５を挿通して位置決めする。このとき、手洗い器本体１の上断面略Ｕ字状の周壁部１２の対向する側壁部１５間の寸法が、反り等によって設計寸法よりも小さくなる等といった製造上の誤差が生じた場合であっても、手洗い器本体１は合成樹脂としての有機ガラスによって形成されているため、ある程度の弾性変形が可能であり、簡単に、側壁部１５間を広げて天板部３の係止孔５に突起部４を挿通して位置決めすることができる。なお、手洗い器本体１と天板部３とを組み合わせる前に、収容凹所２０にパッキン２１を嵌入しておく。
【００３６】
そして、突起部４に係止孔５を挿通して周壁部１２及び天板部３との位置決めをすると共に、天板部３の後端縁に設けた位置決め用切欠３２に円筒状の位置決め凸部２２を当接させて、天板部３の後部も位置決めする。
【００３７】
このように位置決めをした上で、取着部１３と天板部３とを固着具７１によって固定して、手洗い器本体１と天板部３とを接合する。本実施形態の固着具７１は、図４に示すように、ねじ頭部７２とワッシャー７３及びナット７４との間に円筒状のスペーサ７５を挟みこんでいる。こうすることで、ねじ軸部のねじ山と固着具挿通孔７の内壁とが直接接触するのを防いでいる。
【００３８】
ところで、上記のように、突起部４を係止孔５に挿通するだけで、水平方向の位置決めができて、手洗い器本体１の周壁用当接部１７の前面及び外側面と、天板部３の天板用当接部３３の前面及び外側面とが面一の状態で正確に組み立てが可能となるものであるが、天板部３が上方に反っていたり、天板部３の前部に上方に向けた外力が加わったりした場合には、突起部４と係止孔５との位置決め及び固着具７１による固定だけでは、手洗い器本体１と天板部３との接合部に隙間が生じてしまうことがある。そこで、本実施形態では、この係止孔５に突起部４が挿通された部位に、天板部３と手洗い器本体１とを挟圧する挟圧部材９を装着して、手洗い器本体１と天板部３との前部においても固着するようにしている。
【００３９】
挟圧部材９は、弾性変形可能な板状の金属板材をコ字状に折曲することにより形成される。詳しくは、対向する一対の横片９１と、縦片９２とで構成されており、横片９１における縦片９２が連設された側とは反対側の端部に導入部９３が形成されている。この導入部９３は、先端ほど互いに離間するように形成されている。また、横片９１の一部には抜け止め孔９４が穿設されている。
【００４０】
このような挟圧部材９を、係止孔５に突起部４が挿通された部位に装着するのであるが、図５に示すように、周壁用当接部１７及び天板用当接部３３の背方において後方から前方に向けて嵌め込むように設置する。つまり、周壁用当接部１７及び天板用当接部３３の背方に設けられた前述の挟圧部材用挿通凹所８内に挟圧部材９を位置させて、天板部３と手洗い器本体１とが重なった部位に後方から前方に向けて嵌め込む。このとき、突起部４の上端には係止爪４２が設けられているが、後方ほど下方となるような斜面４１が設けられており、その上、挟圧部材９の先端には導入部９３が形成されているため、挟圧部材９を、簡単に弾性変形させながら前方に向けて嵌め込むことができるようになっている。そして挟圧部材９を押し込み続けると、挟圧部材９の横片９１に設けられた抜け止め孔９４に天板部３の係止孔５から突出する係止爪４２が突出して、この挟圧部材９の装着が完了する。この抜け止め孔９４が係止爪４２に係合することにより、挟圧部材９が容易に抜け落ちないようになっている。
【００４１】
このように挟圧部材９は、露出部となる周壁用当接部１７及び天板用当接部３３で覆われるようにして装着されているから、手洗い器ＣをキャビネットＡ内に内装した場合には、挟圧部材９が外観上露出しないようにできて、意匠性を損なうこともない。
【００４２】
ここで、係止孔５に突起部４が挿通された部位に新たに固着具挿通孔７を穿設し、固着具７１を用いて両者を固着することも考えられるが、周壁用当接部１７及び天板用当接部３３に覆われた狭い部位に対して作業を行なうこととなり、作業が非常に困難なものとなる。しかしながら、本実施形態の挟圧部材９を用いれば、周壁用当接部１７及び天板用当接部３３に覆われた狭い部位に対しても簡単に装着することができるため、作業性の向上という観点から非常に有用なものとなる。
【００４３】
上記のように、対向する側壁間の寸法がその形状上製造誤差の生じ易いものであり、その上、その側壁の前部には露出部となる周壁用当接部１７が設けられるものであるが、この前部において係止孔５に突起部４を挿通して位置決めするようにしているから、係止孔５に突起部４を挿通するという簡単な作業で、正確な組み立て作業を行なうことができる。そして、露出部となる周壁用当接部１７と天板用当接部３３とを面一状にすることができ、接合部である繋ぎ目を目立たないものとすることができるため、一体感のある手洗い器Ｃを構成することができる。
【００４４】
以上のように構成された手洗い器Ｃは、冒頭で述べたように箱状のキャビネットＡ内に内装される。
【００４５】
このキャビネットＡは、図６に示すように、正面視矩形状の前面が開放するキャビネット本体ａと、キャビネット本体ａの下部に設けられて開閉自在に枢支された扉体ｂとを備えており、上記手洗い器Ｃは給水栓の設置や排水配管などの一部の配管をした上で、扉体ｂの上部に内装される。
【００４６】
キャビネット本体ａの上板の裏面には、上述したように、位置決め凹部が形成されている。この位置決め凹部に手洗い器Ｃに設けられた位置決め凸部２２を嵌入して、キャビネットＡに対する手洗い器Ｃの位置が位置決めされる。このとき、キャビネットＡの上板の前端に天板用当接部３３が当接すると共に、キャビネットＡの側板の前端に周壁用当接部１７が当接する。この状態で、キャビネットＡに対して手洗い器Ｃを固着する。
【００４７】
このような手洗い器Ｃを内装したキャビネットＡは、トイレルームの側壁に設けられた凹部内に嵌め込まれて設置される。
【００４８】
以上、本発明の埋め込み型手洗い器をトイレルームに配設されたものに基づいて説明したが、設置場所はトイレルームに限定されるものではない。
【００４９】
また、上記実施形態において、手洗い器本体１側に突起部４を設けると共に、天板部３に係止孔５を設けるようにしたが、手洗い器本体１側に係止孔を設けると共に、天板部３に突起部を設けるようにしてももちろんよい。
【００５０】
なお本実施形態において、周壁部１２の断面形状は略Ｕ字形状としているが、例えば略コ字形状であってもよいのはもちろんのことである。また、上記実施形態は、キャビネット本体ａを介して手洗い器Ｃを配設しているが、キャビネット本体ａを介さずに、壁に直接埋設するようにしてももちろんよい。
【符号の説明】
【００５１】
１      手洗い器本体
１１    ボウル部
１２    周壁部
１３    取着部
１４    後壁部
１５    側壁部
１６    給水栓設置部
１７    周壁用当接部
１７ａ  側片
１８    周壁用補強片
１９    フランジ片
２０    収容凹所
２２    位置決め凸部
３      天板部
３１    被取着部
３２    位置決め用切欠
３３    天板用当接部
３３ａ  側片
３４    天板用補強片
３５    天面板
４      突起部
４１    斜面
４２    係止爪
５      係止孔
５１    厚肉部
７      固着具挿通孔
８      挟圧部材用挿通凹所
Ｃ      手洗い器
【図１】
2010227266.tif 000003
【図２】
2010227266.tif 000004
【図３】
2010227266.tif 000005
【図４】
2010227266.tif 000006
【図５】
2010227266.tif 000007
【図６】
2010227266.tif 000008
【図７】
2010227266.tif 000009